(57)【要約】ゴルフクラブをカスタマイズするためのショットコントロールホーゼルが開示されている。本発明の開示された実施例は、１組のホーゼルを提供し、各々のホーゼルは錐体を有する。この本体は、中心軸、上部および底部を有する。円筒形の開口部は、上部から底部に延在し、かつゴルフクラブの柄を収容するようにされる。フランジが本体に設けられ、それはゴルフクラブヘッドの穴内部で切欠きと係合するようにされ得る。上部および底部のうちより小さい方の上に弾性の顎が設けられ、穴内部でホーゼルを固定する。
2006513804.tif 000002
【特許請求の範囲】
【請求項１】
ゴルフクラブをカスタマイズするシステムであって、
複数のホーゼルを含み、各々のホーゼルは、
錐体を含み、前記錐体は中心軸、上部および底部を有し、前記ホーゼルはさらに、
前記上部から前記底部に延在するゴルフクラブの柄収容開口部を含み、前記開口部は開口軸を有し、前記ホーゼルはさらに、
ゴルフクラブヘッドの穴内部で切欠きと係合するようにされたフランジと、
前記上部および前記底部のうちのより小さい方の上へ装着された弾性の顎を有し、前記顎は、該上部および該底部のうちのより小さい方よりも大きい、ゴルフクラブをカスタマイズするシステム。
【請求項２】
前記ゴルフクラブの柄収容開口部は円筒形である、請求項１に記載のシステム。
【請求項３】
前記開口軸は、前記錐体の前記中心軸と、ある方向においてある角度をなす、請求項１に記載のシステム。
【請求項４】
前記角度および前記方向のうち少なくとも１つは、前記複数のホーゼルの各々のホーゼルによって異なる、請求項３に記載のシステム。
【請求項５】
前記開口軸および前記中心軸は、フェース角と関連した角度をなす、請求項１に記載のシステム。
【請求項６】
前記開口軸および前記中心軸は、ライ角と関連した角度をなす、請求項１に記載のシステム。
【請求項７】
前記錐体は円錐を含む、請求項１に記載のシステム。
【請求項８】
前記錐体は非円錐を含む、請求項１に記載のシステム。
【請求項９】
前記開口部は円形の筒を含む、請求項１に記載のシステム。
【請求項１０】
前記開口部は非円形の筒を含む、請求項１に記載のシステム。
【請求項１１】
ゴルフクラブをカスタマイズする方法であって、
複数のホーゼルを与えるステップを含み、各々のホーゼルは、
錐体を含み、前記錐体は中心軸、上部および底部を有し、前記ホーゼルはさらに、
前記上部から前記底部に延在するゴルフクラブの柄収容開口部を含み、前記開口部は中心軸を有し、前記ホーゼルはさらに、
ゴルフクラブヘッドの穴内部で切欠きと係合するようにされたフランジと、
前記上部および前記底部のうちのより小さい方の上へ装着された弾性の顎とを含み、前記顎は、該上部および該底部のうちのより小さい方よりも大きく、
前記複数のホーゼルの各々のホーゼルは、前記中心軸と前記開口軸との間の角度および方向の異なる組合せを有し、前記方法はさらに、
前記複数のホーゼルから１つのホーゼルを選択するステップを含み、前記１つのホーゼルは、クラブの柄に対するクラブヘッドの所望の配向を与えるようにされた、前記角度および前記方向の組合せを有する、ゴルフクラブをカスタマイズする方法。
【請求項１２】
前記柄収容開口部は円筒形である、請求項１１に記載の方法。
【請求項１３】
前記選択された１つのホーゼルは、所望のフェース角を与える、請求項１１に記載の方法。
【請求項１４】
前記選択された１つのホーゼルは、所望のライ角を与える、請求項１１に記載の方法。
【請求項１５】
ゴルフクラブをカスタマイズするシステムであって、
複数のホーゼルを含み、各々のホーゼルは、
錐体を含み、前記錐体は中心軸、上部および底部を有し、前記ホーゼルはさらに、
前記上部から前記底部に延在するゴルフクラブの柄収容開口部を含み、前記開口部は開口軸を有し、前記軸は前記中心軸との間である角度およびある方向をなし、前記ホーゼルはさらに、
組立てられたときに、前記錐体の回転の動きを防ぐようにされたフランジ手段を含む、ゴルフクラブをカスタマイズするシステム。
【請求項１６】
前記柄収容開口部は円筒形である、請求項１５に記載のシステム。
【請求項１７】
前記ゴルフクラブヘッドの前記穴内部で、前記錐体の長手方向の動きを防ぐための固定手段をさらに含む、請求項１５に記載のシステム。
【請求項１８】
前記フランジ手段は、前記錐体の非円形部分を含む、請求項１５に記載のシステム。
【請求項１９】
前記角度および前記方向のうちの少なくとも１つは、前記複数のホーゼルの各々のホーゼルによって異なる、請求項１５に記載のシステム。
【請求項２０】
前記開口軸および前記中心軸は、フェース角と関連した角度をなす、請求項１５に記載のシステム。
【請求項２１】
前記開口軸および前記中心軸は、ライ角と関連した角度をなす、請求項１５に記載のシステム。
【請求項２２】
ゴルフクラブであって、
ホーゼル収容穴を有するゴルフクラブヘッドと、
ゴルフクラブの柄と、
前記ホーゼル収容穴内部で固定されたホーゼルとを含み、前記ホーゼルは、
錐体を含み、前記錐体は中心軸、上部および底部を有し、前記ホーゼルはさらに、
前記上部から前記底部に延在するゴルフクラブの柄収容開口部を含み、前記開口部は、開口軸を有し、かつ前記ゴルフクラブの柄を収容するようにされ、前記軸は、前記中心軸との間である角度およびある方向をなし、前記ホーゼルはさらに、
組立てられたときに、前記錐体の回転の動きを防ぐようにされたフランジ手段を含む、ゴルフクラブ。
【請求項２３】
前記柄収容開口部は円筒形である、請求項２４に記載のゴルフクラブ。
【請求項２４】
前記ゴルフクラブヘッドの前記穴内部で、前記錐体の長手方向の動きを防ぐための固定手段をさらに含む、請求項２２に記載のゴルフクラブ。
【請求項２５】
前記フランジ手段は、前記錐体の非円形部分を含む、請求項２２に記載のゴルフクラブ。
【請求項２６】
前記角度および前記方向のうちの少なくとも１つは、前記複数のホーゼルの各々のホー
ゼルによって異なる、請求項２２に記載のゴルフクラブ。
【請求項２７】
前記開口軸および前記中心軸は、フェース角と関連した角度をなす、請求項２２に記載のゴルフクラブ。
【請求項２８】
前記開口軸および前記中心軸は、ライ角と関連した角度をなす、請求項２２に記載のゴルフクラブ。
【発明の詳細な説明】
【技術分野】
【０００１】
関連出願
本願は、その全体が引用により援用される、２００１年４月６日出願の、「ショットコントロールホーゼル（SHOT CONTROL HOSEL）」と題された米国仮出願番号６０／２８２，３５７に関するとともに、米国特許法第１１９条（ｅ）に基づく優先権を主張する。
【０００２】
発明の背景
発明の分野
本発明は一般的に、ゴルフクラブホーゼルに関し、特にショットコントロールホーゼルに関する。
【背景技術】
【０００３】
関連技術
本節に含まれる情報は、それが法的に先行技術を構成するか否かに関するいかなる承認もなく、本発明の技術の背景に関するものである。
【発明の開示】
【発明が解決しようとする課題】
【０００４】
多くのタイプおよび種類の調整可能なホーゼルがゴルフクラブのために入手可能である。以下の米国特許、すなわちジャクソン（Jackson）に付与された第５，７８８，５８５号、ジャクソンに付与された第５，８３９，９７３号、ウッド（Wood）他に付与された第５，８５１，１５５号、クビカ（Kubica）に付与された第５，９０６，５４９号、ウッド他に付与された第５，９５１，４１１号、およびウッド他に付与された第６，２７３，８２８  Ｂ１号を参照されたい。さらに、英国特許番号２，２０７，３５８Ａおよび台湾特許番号７８，２０９，００８を参照されたい。
【０００５】
以下で、本発明は図面を参照してさらに詳細に説明される。
【課題を解決するための手段】
【０００６】
発明のある実施例の説明
本発明は、ゴルフクラブをカスタマイズするためのシステムおよび方法を提供する。特に、本発明の開示された実施例は、ゴルフクラブのための交換可能なホーゼルに関する。
【０００７】
一実施例において、１組のホーゼルが与えられ、各々のホーゼルは錐体を有し、上記錐体は、中心軸、上部および底部を有し、上記ホーゼルはさらに、上部から底部に延在する円筒開口部を有し、上記開口部は、ゴルフクラブの柄を収容するようにされ、上記ホーゼルはさらに、ゴルフクラブヘッドの穴内部で切り欠きと係合するようにされたフランジ、ならびに上部および底部のうちより小さい方の上に弾性の顎を有し、上記顎は、上部および底部のうち小さい方よりも大きい。
【発明を実施するための最良の形態】
【０００８】
本発明の一実施例は、熱可塑性材料などといった非金属物質から製造され得るホーゼルに関する。
【０００９】
図１は、本発明に従ったゴルフクラブ組立部品のためのホーゼルの一実施例の透視図である。示したホーゼル１０は、底部１４が上部１６よりも大きい錐体１２を有する。ホーゼルの錐体１２は、ゴルフクラブ組立部品の重量を減じるためにプラスチック等のより軽
量の材料から製造され得るが、金属物質、および樹脂等の他の物質を使用してもよい。上部１６には、図６を参照して以下に記載するように、一方向の噛み合いを与えるための環状の顎１８が設けられる。ホーゼル１０の錐体１２には、錐体１２の一部に沿って軸方向に延在する半径のフランジ２１が設けられる。フランジ２１は、実質的に錐体１２の長さ全体にわたって延在し、ホーゼル１０のゴルフクラブとの非回転噛み合いを与える。
【００１０】
図１では、断面が概ね円形の、円錐形状を有するホーゼル１０が示されているが、多くの他の断面形状を使用してもよいことを理解すべきである。いくつかのこのような代替例が図１０に示されており、これらは以下で説明される。なお、形状には、図１のフランジ２１等のフランジを必要としないものもあり、これは形状自体が非回転噛み合いを与え得るからである。
【００１１】
再び図１を参照して、ホーゼル１０にはまた、柄収容開口部２３が設けられており、この開口部は、旋回部分２４でホーゼル１０の上部１６から実質的にホーゼル１０の底部１４まで延在している。開口部２３は、中に柄を収容し、かつ摩擦力および／もしくは好適な接着剤または他の好適な技術を通して、中でそれを保持できるような大きさにされる。開口部２３は、概ね直線状の円筒通路の断面形状である。図１は、円形の円筒通路を示しており、これは長さ全体にわたって断面が概ね円形である。矩形断面の筒といった他の円筒形状を用いて、柄およびホーゼル１０の間のよりしっかりした非回転噛み合いを与え得る。
【００１２】
開口部が旋回部分２４から延在する角度および方向を調整して、各々のゴルファーのためのゴルフクラブ組立部品をカスタマイズし得る。角度および方向を、３つの物理的寸法すべてにおいて調整し得る。たとえば、柄を、柄とクラブヘッドとによって形成される第１の面における１つの可変角、第１の面に垂直な垂直面における別の可変角、および第３の可変回転角をなす方向に、挿入し得る。したがって、複数のホーゼル１０は、各々がフェース角等の異なる長手角（longitudinal angle）、および異なるライ角を与える状態で、利用可能にされ得る。
【００１３】
旋回部分２４の開口部２３の始まりは、実質的に上部１６の中心に、および環状の顎１８の中心に位置し得る。代わりに、開口部２３の始まりは、上部１６の周辺付近に位置してもよい。この態様において、最大の範囲の角度を達成し得る。
【００１４】
図２ａおよび２ｂは、２つの例示のホーゼルの底面図であり、本発明の他の実施例に従ったホーゼルの構造をさらに示している。図２ａおよび２ｂにおける２つのホーゼル１０ａおよび１０ｂにおいてそれぞれ表わしたように、開口部２３ａ，２３ｂは、開口部が旋回部分から延在する角度および方向に依存して、各々のホーゼル１０ａ，１０ｂの底部１４ａ，１４ｂでの異なる点で終端をなす。同様に、各々の選択された角度および方向について異なる終端が達成される。
【００１５】
図３ａ−ｃは、３つの異なるホーゼル１０ｃ，１０ｄ，１０ｅそれぞれの断面図を示しており、各々は、異なる角度で旋回部分２４ｃ，２４ｄ，２４ｅそれぞれから延在する開口部２３ｃ、２３ｄ、２３ｅを有する。さまざまな角度および方向の結果として、開口部２３ｃ，２３ｄ，２３ｅの軸は、必ずしもホーゼル本体１２ｃ，１２ｄ，１２ｅの中心軸それぞれに平行であるとは限らない。したがって、開口部２３ｃ，２３ｄ，２３ｅの軸およびホーゼル本体１２ｃ，１２ｄ，１２ｅの中心軸それぞれの間のいかなる方向においても、０°から予め定められた最大角度に及ぶ角度が達成され得る。
【００１６】
図３ａ−ｃは、断面内部で変化する角度を示しているが、上記の説明から、この角度は断面に垂直な面においても変化し得ることを理解すべきである。
【００１７】
図４は、図１，３ａ，３ｂおよび３ｃを参照して上述したホーゼル等のホーゼルを収容するようにされたゴルフクラブ組立部品のためのゴルフクラブヘッド２５を示している。このゴルフクラブヘッド２５は、ゴルフボールを打つためのフェース２７を有する。ヘッド２５には、ヘッド２５の上部から底部に延在する穴２９が設けられている。この穴２９は、ホーゼル１０の錐体１２を収容するような大きさおよび形状にされる。穴２９にはまた、上述のホーゼル１０のフランジ２１を収容するような大きさの切欠き３２が設けられている。上述のように、ある形状のホーゼルはフランジを必要としないことを理解すべきである。したがって、クラブヘッド２５の穴２９にはまた、切欠き３２がないかもしれない。
【００１８】
図５−７は、図１−３ｃを参照して上述したホーゼルと同様のホーゼル１０ｆの、ゴルフクラブヘッド２５との係合を示している。フランジ２１ｆが切欠き３２と位置合わせされた状態で、ホーゼル１０ｆの上部１６ｆをヘッド２５の底部から穴２９に挿入し得る。したがって、ホーゼル１０ｆを、ホーゼル１０ｆのより小さい上部１６ｆを先頭にして、穴２９のより大きな開口を通して挿入し得る。環状の顎１８ｆがゴルフクラブヘッド２５の上部で穴２９の他方端部を通って現れるまで、ホーゼル１０ｆを穴に押し込み得る。図６に示されるように、一旦顎１８ｆが、穴２９から出て完全に現れると、ホーゼル１０ｆは穴２９内部でしっかりと保持され得る。顎１８ｆは、ホーゼル１０ｆのヘッド２５に対する下方への動きを防ぐことによって、ホーゼル１０ｆとクラブヘッド２５との係合が外れるのを防ぎ、一方でホーゼル１０ｆの円錐噛み合いは、さらなる上方への動きを防ぐ。さらに、フランジ２１ｆは切欠き３２と係合して、クラブヘッド２５の穴２９内部でのホーゼル１０ｆの回転を防ぐ。好適な接着剤をさらに用いて、ホーゼル１０ｆをクラブヘッド２５とよりしっかりと係合させ得る。図７に示したように、クラブヘッド組立部品の示した実施例には、開放ヒールが設けられ得る。ホーゼル１０ｆのフランジ２１ｆは、クラブヘッド２５のヒールと同一平面上にあり、外部から可視であり得る。しかしながら、フランジ２１ｆは、クラブヘッド２５内部に完全に含まれ得ることを理解すべきである。
【００１９】
示した実施例は、対応する寸法を有するクラブヘッドの穴と係合する、より大きな底部と小さな上部とを有する円錐形のホーゼル本体を示しているが、本発明の他の実施例では、適切な寸法を有するクラブヘッドの穴と係合するための、より大きな上部とより小さな底部とを有するホーゼルが提供され得ることを理解すべきである。
【００２０】
図８および９は、柄３４をホーゼル１０ｇの開口部２３ｇに挿入した状態での、図１を参照して上述したホーゼル１０と類似したホーゼル１０ｇを用いたゴルフクラブ組立部品を示している。ホーゼル１０ｇの開口部２３ｇは、ゴルフクラブの（図９に部分的に切取って示した）柄３４を収容する。柄３４は、たとえば摩擦力および好適な接着剤を含むいくつかの手段のうちの１つによって、開口部２３ｇ内部で固定され得る。柄３４は、ホーゼル１０ｇ内部の開口部２３ｇの角度および方向によって決定される角度および方向で、クラブヘッド２５から延在する。したがって、クラブヘッド２５に対する柄３４の位置は、適切な、開口部２３ｇの角度および方向を有するホーゼル１０ｇを選択することによって、特定のゴルファーのためにカスタマイズされ得る。
【００２１】
ゴルフクラブが、複数のホーゼルのうち選択された１つを用いて組立てられるとき、各々は開口部とホーゼル本体との間でさまざまな角度および方向を有する。代わりに、上述の３つの寸法においてさまざまな角度を有する複数のホーゼルが与えられ得る。したがって、ゴルファーはゴルフクラブを選択して、次に所望のクラブヘッドの配向を与えるホーゼルを選択し得る。
【００２２】
図１０ａ−ｒは、本発明に従ったホーゼルの他のいくつかの実施例を示している。図１
０ａ−ｅは、ホーゼルの底面および上面に平行な面に沿う断面図を示している。上述のように、ホーゼル本体は、フランジを有する円錐である必要はない。図１０ａ−ｅに示した底面図は、ホーゼルの断面の形状が、フランジを有さない円形（図１０ａ）、楕円形（図１０ｂ）、六角度形（図１０ｃ）、不規則形（図１０ｄ）または矩形（図１０ｅ）であってもよいことを示している。他の形状を用いてもよい。上述のように、図１０ｂ−ｅに示したような非円形の形状で、ホーゼルは、ホーゼルとクラブヘッドとの間の非回転噛み合いを与えるフランジを必要としない。図１０ａに示した実施例には、回転を防ぐための接着剤が与えられ得る。
【００２３】
図１０ｆ−ｋは、本発明に従ったホーゼルのさまざまな他の実施例の垂直面に沿う断面図を示している。これらの実施例のうち、図１０ｆおよび１０ｇに示されたもののようないくつかの実施例では、ホーゼルが底部付近で窪み４１ａ，４１ｂといった窪みを含み、ゴルフクラブの重量をさらに減じるようにされ得る。図１０ｈ−１０ｋに示したようなさらに他の実施例では、複合構成要素体を含むホーゼルが与えられ得る。たとえば、図１０ｈは、２つの円錐要素を有するホーゼルを示している。各々の要素を、クラブヘッドにおける穴の反対側の端部から挿入して、結果として、２つの要素のうちより小さい上部が、穴の中央で当接し得る。もちろん、クラブヘッドにおける穴は、ホーゼルの特定の形状を収容するように形作られる。この２つの要素を、たとえば接着剤で適所に固定し得る。同様に、図１０ｉ−ｋは、穴の反対側の端部から挿入されるようにされた複合構成要素のホーゼル本体を示している。図１０ｉ−１０ｋから明らかなように、複合構成要素体の構成要素は同一である必要はない。
【００２４】
図１０ｌ−ｒは、本発明に従ったホーゼルのさまざまな他の実施例の、顎部分の垂直面に沿う断面図を示している。この顎を、ホーゼル本体の上部または底部のいずれかに与え得る。複合構成要素のホーゼル本体について、顎は各々の構成要素の一方端に与えられ得る。
【００２５】
本発明の特定の実施例を開示したが、さまざまな異なる変形例および組合せが、別掲の特許請求の範囲の真の精神および範囲内で可能でありかつ考えられることを理解すべきである。したがって、本明細書において提示された要約および開示に制限の意図はない。
【図面の簡単な説明】
【００２６】
【図１】本発明に従ったホーゼルの一実施例の透視図である。
【図２ａ】図１のホーゼルの底面図である。
【図２ｂ】図１のホーゼルの底面透視図である。
【図３】ａ−ｃは、本発明に従ったホーゼルの他の実施例の断面図である。
【図４】図１のホーゼルを組込むゴルフクラブの透視図である。
【図５】図４に示した組立てられたゴルフクラブの側方断面図である。
【図６】ゴルフクラブを形成するホーゼルの別の実施例の係合の断面図である。
【図７】組立てられたホーゼルの別の実施例を伴ったゴルフクラブヘッドの底面図である。
【図８】図１のホーゼルをクラブの柄と合体させて組立てられたゴルフクラブの部分透視図である。
【図９】本発明の別の実施例に従ったホーゼルのさらなる実施例を用いたゴルフクラブ組立部品の実施例の背面図である。
【図１０】ａ−ｒは、本発明のさまざまな他の実施例を示す図である。
【図１】
2006513804.tif 000003
2006513804.tif 000004
2006513804.tif 000005
【図４】
2006513804.tif 000006
【図５】
2006513804.tif 000007
【図６】
2006513804.tif 000008
【図７】
2006513804.tif 000009
【図８】
2006513804.tif 000010
【図９】
2006513804.tif 000011
2006513804.tif 000012
【国際調査報告】
2006513804.tif 000013